(57)【要約】【課題】本発明はレンジフードファンのケーシング構造に関し、集合住宅等の厨房に設置して円滑かつ確実に排気や換気を行い、製作、組立が容易で組立精度が高く、廃棄時に容易に分離し、分解が行える等、リサイクル性に優れる。【解決手段】鋼板、ステンレス鋼板により形成され、ファン２を内蔵したレンジフードファンのケーシング１を構成する各部材を、前後方向Ｘ、左右方向Ｙ、高さ方向Ｚの各面Ｓｘｙ，Ｓｙｚ，Ｓｘｚを考慮して複数の構成部材Ｋ１，Ｋ２，Ｋ３，Ｋ４，Ｋ′１，Ｋ′２，Ｋ′３，Ｋ′４，Ｋ″１，Ｋ″２，Ｋ″３，Ｋ″４，Ｋ″５に分割し、該構成部材の端面には相互に重合される縁部Ｎ１，Ｎ２，Ｎ４，Ｎ５，Ｎ６，Ｎ７ないしは側縁部Ｎ３，Ｎ８，Ｎ９，Ｎ１０，Ｎ１１を折曲して該縁部ないしは側縁部相互はビスＢまたはリベットＢ′等の固定部品を用いて固着可能にかつ分解可能に組付ける。【選択図】      図１
2004232982.tif 000002
【特許請求の範囲】
【請求項１】
鋼板またはステンレス鋼板により形成され、ファンを内蔵したレンジフードファンのケーシング構造において、該レンジフードファンのケーシングを構成する各部材を、前後方向、左右方向、および高さ方向の各面を考慮して複数の構成部材に分割し、該構成部材の端面には相互に重合される縁部ないしは側縁部を折曲して形成し、該縁部ないしは側縁部相互はビスまたはリベット等の固定部品を用いて固着可能にかつ分解可能に組付けられることを特徴とするレンジフードファンのケーシング構造。
【請求項２】
前記レンジフードファンのケーシングは、周囲から中央部に集束するような斜面部を有するフードと、該フードの内部に取付けられる内装部材と、前記フードの上部に固着され、ファンを内蔵する略箱形のファンボックスとより成り、前記フード自体を形成する複数の構成部材相互、また前記内装部材自体を形成する複数の構成部材相互、前記ファンボックスを形成する構成部材相互、さらには前記フードの前記構成部材に対する内装部材の構成部材を、およびフードの前記構成部材に対するファンボックスの構成部材をビスまたはリベット等の固定部品を用いて固着可能にかつ分解可能に組付けることを特徴とする請求項１に記載のレンジフードファンのケーシング構造。
【請求項３】
前記フードは、周囲から中央部に集束するように前後方向、左右方向、および高さ方向の３方向に組付けられる各面毎に分割された略平面台形をなす４個のフード構成部材により形成され、該各フード構成部材は、上辺にファンボックスの下面に対応して設けた縁部に上面が重合されて固着可能にかつ分解可能に組付けられるとともに内装部材の上面に対応して設けた縁部に下面が重合されて固着可能にかつ分解可能に組付けられる縁部が前後方向および高さ方向に形成され、左右の斜辺には隣接するフード構成部材相互の斜辺部同士が重合され、固着可能にかつ分解可能に取付けられる側縁部が形成されたことを特徴とする請求項１，２に記載のレンジフードファンのケーシング構造。
【請求項４】
前記内装部材は、前後方向に対向して配置される長寸の２個の第１の内装構成部材と、第１の該内装構成部材に交叉して左右方向に配置される２個の短寸の第２の内装構成部材との２種、合計４個の内装構成部材により形成され、第１，第２の該内装構成部材は、上面に対応する前記フード構成部材の上辺に設けた縁部に固着可能にかつ分解可能に取付けられる縁部が前後方向および左右方向に形成され、短寸の第２の前記内装構成部材の左右の側面には隣接する長寸の第１の前記内装構成部材の内側、左右端に固着可能にかつ分解可能に取付けられる側縁部が形成されたことを特徴とする請求項１，２，３に記載のレンジフードファンのケーシング構造。
【請求項５】
前記ファンボックスは、上面に配置されるボックス天面構成部材と、左右の側面に対向して配置される左右のボックス側面構成部材と、該ボックス側面構成部材間の略中間部に配置されるボックス構成仕切部材と、該ボックス側面構成部材間の下方部間に配置され、ファンを備付けるボックス底面構成部材とにより形成され、該ボックス天面構成部材とボックス底面構成部材とは左右の前記ボックス側面構成部材に固着可能かつ分解可能に取付けられる側縁部が形成され、前記ボックス構成仕切部材には前記ボックス側面構成部材に固着可能かつ分解に取付けられる側縁部が形成されたことを特徴とする請求項１，２，３，４に記載のレンジフードファンのケーシング構造。
【発明の詳細な説明】
【０００１】
【発明の属する技術分野】
本発明はレンジフードファンのケーシング構造に関し、例えば集合住宅等の厨房に設置して円滑かつ確実に排気をしたり、換気を行うのに使用し、特に製作および組立が容易で組立精度が高く、また製品の寿命が尽きた廃棄時には容易に分離し、分解が行える等、リサイクル性が優れたレンジフードファンのケーシング構造を提供しようとするものである。
【０００２】
【従来の技術】
従来、例えば低層住宅、中層住宅、高層住宅等のさまざまな形態が混在する集合住宅等において、厨房において換気を行ったり、排気を行うのに使用するためのレンジフードファンのケーシングは、製作するのに鋼板を折曲、加工した各構成部材相互を、主にスポット溶接を施すことにより組立を行い、レンジフードファンのケーシング自体が一体に製作および組付けが行われるいうケーシング構造のものがある（例えば特許文献１参照。）。
【０００３】
【特許文献１】
特開平１０−１７６８５４号公報（第４頁、図６）
【０００４】
また、近年、耐蝕性を有し汚れが付きにくい等の観点からその使用量が増えているステンレス鋼板製のレンジフードファンのケーシングは、製作後にステンレス鋼板自体がもつ材料の地肌や風合いを生かした外観とするために、各構成部材を形成するための板厚を厚くし、各構成部材相互の接合面をガス溶接した後にその溶接個所をサンダー仕上げをする等、熟練者による手作業により製作および組付を行っていた。
【０００５】
【発明が解決しようとする課題】
しかしながら、上記従来のように鋼板よりなる構成部材相互をスポット溶接したり、またはステンレス鋼板よりなる構成部材相互をガス溶接して接合した後に溶接個所のサンダー仕上げを行うことにより製品の製作および組付が行われた上記従来のレンジフードファンのケーシングは、永年使用により古くなり、製品としての寿命が尽きた場合にケーシングを簡単に分解することができない。
【０００６】
そして、古くなって寿命が尽きたレンジフードファンを交換するには、ケーシング毎取外し後に、ケーシングからモータ、ファンロータ、グリスフィルタ、コントロールスイッチ、配線コード等の素材が異なる必要部品を全て取外して分解してから、空になったケーシングを押し潰す等の方法で減容化し、ケーシングから取り外した必要部品を素材別に分別してリサイクルが簡便に行われるようにしている。
【０００７】
しかも、必要部品の取外し作業が行われる現場において、比較的大形の外容積を占めるレンジフードファンのケーシングは、箱状をなすケーシングの内部に仕切板等が溶接されて構造堅牢に製作および組付けがなされているため、人力により押し潰して減容化することは簡単には行えず、難しいのが現実であった。
【０００８】
このため、レンジフードファンは、ケーシングからモータ、ファンロータ、グリスフィルタ、コントロールスイッチ、配線コード等の素材が異なる必要部品を取り外すという取り外し作業、また、ケーシングの押し潰し作業、分解作業等は行われずに、そのままの状態で中間処理業者等の廃棄物処理業者に引き渡されたり、或いはリサイクルが困難な他の不燃であったり、可燃である等の混合ごみと一緒に、混合廃棄物として、埋め立て処分を行う最終処分業者に引き渡されて埋め立て処分がなされることがある。
【０００９】
つまり、集合住宅の台所等のレンジフードファンを取り外した場所において、取り外したレンジフードファンは、ケーシングが簡単に分解できないために、大きな外容積のまま、処理業者の処分場まで輸送しなければならない。しかも、分解が困難であるがために、本来鋼板、またはステンレス鋼板等の金属素材としてリサイクルが可能なケーシング類まで、埋め立て処分に回送される事態になり、資源の有効活用が阻害される面がある。
【００１０】
また、ステンレス鋼板を用いて塗装を行わずに地肌を生かして使用するレンジフードファンのケーシングは、歪みがでないように、板厚が厚いステンレス鋼板を用いて構成部材を形成したり、ステンレス鋼板よりなる構成部材相互の接合面をガス溶接し、その後、溶接部をサンダー等で平に研磨してから手作業により磨き上げたり、溶接個所をブラシュ仕上げを行うことにより完成するため、専用技能を有する熟練者による手作業を必要とするから、製作には多くの時間と手間がかかり、しかも製作コストは高くなり、量産するのには不向きであった。
【００１１】
本発明は上記従来の不都合を解決し、特に製作および組立が容易で組立精度が高く、また製品の寿命が尽きた廃棄時には容易に分離し、分解が行える等、リサイクル性が優れ、製作コストが安価なレンジフードファンのケーシング構造を提供しようとするものである。
【００１２】
【課題を解決するための手段】
本発明は上記従来の欠点を解決し、請求項１に記載の発明は、鋼板またはステンレス鋼板により形成され、ファンを内蔵したレンジフードファンのケーシング構造において、該レンジフードファンのケーシングを構成する各部材を、前後方向、左右方向、および高さ方向の各面を考慮して複数の構成部材に分割し、該構成部材の端面には相互に重合される縁部ないしは側縁部を折曲して形成し、該縁部ないしは側縁部相互はビスまたはリベット等の固定部品を用いて固着可能にかつ分解可能に組付けられることを特徴とするという手段を採用した。
【００１３】
また、本発明の請求項２に記載の発明は、請求項１において、前記レンジフードファンのケーシングは、周囲から中央部に集束するような斜面部を有するフードと、該フードの内部に取付けられる内装部材と、前記フードの上部に固着され、ファンを内蔵する略箱形のファンボックスとより成り、前記フード自体を形成する複数の構成部材相互、また前記内装部材自体を形成する複数の構成部材相互、前記ファンボックスを形成する構成部材相互、さらには前記フードの前記構成部材に対する内装部材の構成部材を、およびフードの前記構成部材に対するファンボックスの構成部材をビスまたはリベット等の固定部品を用いて固着可能にかつ分解可能に組付けることを特徴とするという手段を採用した。
【００１４】
また、本発明の請求項３に記載の発明は、請求項１，２において、前記フードは、周囲から中央部に集束するように前後方向、左右方向、および高さ方向の３方向に組付けられる各面毎に分割された略平面台形をなす４個のフード構成部材により形成され、該各フード構成部材は、上辺にファンボックスの下面に対応して設けた縁部に上面が重合されて固着可能にかつ分解可能に組付けられるとともに内装部材の上面に対応して設けた縁部に下面が重合されて固着可能にかつ分解可能に組付けられる縁部が前後方向および高さ方向に形成され、左右の斜辺には隣接するフード構成部材相互の斜辺部同士が重合され、固着可能にかつ分解可能に取付けられる側縁部が形成されたことを特徴とするという手段を採用した。
【００１５】
また、本発明の請求項４に記載の発明は、請求項１，２，３において、前記内装部材は、前後方向に対向して配置される長寸の２個の第１の内装構成部材と、第１の該内装構成部材に交叉して左右方向に配置される２個の短寸の第２の内装構成部材との２種、合計４個の内装構成部材により形成され、第１，第２の該内装構成部材は、上面に対応する前記フード構成部材の上辺に設けた縁部に固着可能にかつ分解可能に取付けられる縁部が前後方向および左右方向に形成され、短寸の第２の前記内装構成部材の左右の側面には隣接する長寸の第１の前記内装構成部材の内側、左右端に固着可能にかつ分解可能に取付けられる側縁部が形成されたことを特徴とするという手段を採用した。
【００１６】
また、本発明の請求項５に記載の発明は、請求項１，２，３，４において、前記ファンボックスは、上面に配置されるボックス天面構成部材と、左右の側面に対向して配置される左右のボックス側面構成部材と、該ボックス側面構成部材間の略中間部に配置されるボックス構成仕切部材と、該ボックス側面構成部材間の下方部間に配置され、ファンを備付けるボックス底面構成部材とにより形成され、該ボックス天面構成部材とボックス底面構成部材とは左右の前記ボックス側面構成部材に固着可能かつ分解可能に取付けられる側縁部が形成され、前記ボックス構成仕切部材には前記ボックス側面構成部材に固着可能かつ分解に取付けられる側縁部が形成されたことを特徴とするという手段を採用した。
【００１７】
【発明の実施の形態】
以下、図面を参照して本発明の実施の形態の具体例の詳細を説明する。
図１は本発明のレンジフードファンのケーシング構造の一実施形態を示す分解斜視図、図２は同じくグリスフィルタと前面板とを取り外した状態の斜視図、図３は同じくグリスフィルタを取り外した状態の斜視図、図４は同じく組上げ状態の斜視図、図５は同じく本実施形態を構成するフードの分解斜視図、図６は同じく本実施形態を構成する内装部材を示す分解斜視図、図７は同じく本実施形態を構成するファンボックスを示す分解斜視図である。
本実施形態において、鋼板またはステンレス鋼板により形成され、ファン２を内蔵したレンジフードファンのケーシング構造である点は従来のレンジフードファンのケーシング構造と同様である。
【００１８】
しかしながら、本実施形態のレンジフードファンのケーシング１は、ケーシング１を構成する各部材を、前後方向Ｘ、左右方向Ｙ、および高さ方向Ｚの各面Ｓｘｙ，Ｓｙｚ，Ｓｘｚを考慮して複数の構成部材Ｋ１，Ｋ２，Ｋ３，Ｋ４；Ｋ′１，Ｋ′２，Ｋ′３，Ｋ′４；Ｋ″１，Ｋ″２，Ｋ″３，Ｋ″４，Ｋ″５に分割し、該構成部材Ｋ１，Ｋ２，Ｋ３，Ｋ４；Ｋ′１，Ｋ′２，Ｋ′３，Ｋ′４；Ｋ″１，Ｋ″２，Ｋ″３，Ｋ″４，Ｋ″５の端面には相互に重合される縁部Ｎ１，Ｎ１；Ｎ２，Ｎ２；Ｎ４，Ｎ４；Ｎ５，Ｎ５；Ｎ６，Ｎ６；Ｎ７，Ｎ７ないしは側縁部Ｎ３，Ｎ３；Ｎ８，Ｎ８；Ｎ９，Ｎ９；Ｎ１０，Ｎ１０；Ｎ１１，Ｎ１１を折曲して形成し、該縁部Ｎ１，Ｎ１；Ｎ２，Ｎ２；Ｎ４，Ｎ４；Ｎ５，Ｎ５；Ｎ６，Ｎ６；Ｎ７，Ｎ７ないしは側縁部Ｎ３，Ｎ３；Ｎ８，Ｎ８；Ｎ９，Ｎ９；Ｎ１０，Ｎ１０；Ｎ１１，Ｎ１１相互はビスＢまたはリベットＢ′等の固定部品を用いて固着可能にかつ分解可能に組付ける。
【００１９】
すなわち、図示する本実施形態のレンジフードファンのケーシング１は、周囲から中央部Ｏに集束するような斜面部４，４，４，４を有するフード３と、該フード３の内部に取付けられる内装部材５と、前記フード３の上部に固着され、ファン２を内蔵する略箱形のファンボックス６との各部材より成る。
【００２０】
そして、前記フード３自体を形成する複数の構成部材Ｋ１，Ｋ２；Ｋ３，Ｋ４相互、また前記内装部材５自体を形成する複数の構成部材Ｋ′１，Ｋ′２，Ｋ′３，Ｋ′４相互、前記ファンボックス６を形成する構成部材Ｋ″１，Ｋ″２，Ｋ″３，Ｋ″４，  Ｋ″５相互、さらには前記フード３の前記構成部材Ｋ１，Ｋ２，Ｋ３，Ｋ４に対する内装部材５の構成部材Ｋ′１，Ｋ′２，Ｋ′３，Ｋ′４を、およびフード３の前記構成部材Ｋ１，Ｋ２，Ｋ３，Ｋ４に対するファンボックス６の構成部材Ｋ″１，Ｋ″２，Ｋ″３，Ｋ″４，  Ｋ″５をビスＢまたはリベットＢ′等の固定部品を用いて固着可能にかつ分解可能に組付ける。
【００２１】
このうち、前記フード３は、周囲から中央部Ｏに集束するように前後方向Ｘ、左右方向Ｙ、および高さ方向Ｚの３方向に組付けられる各面Ｓｘｙ，Ｓｙｚ，Ｓｘｚを考慮して分割された略平面台形をなす４個のフード構成部材３Ａ，３Ｂ；３Ｃ，３Ｄにより形成される。
【００２２】
また、該各フード構成部材３Ａ，３Ｂ；３Ｃ，３Ｄは、上辺にファンボックス６の下面に対応して設けた縁部Ｎ４，Ｎ４；Ｎ５，Ｎ５に上面が重合されて固着可能にかつ分解可能に組付けられるとともに内装部材５の上面に前後方向Ｘおよび左右方向Ｙに設けた縁部Ｎ６，Ｎ６；Ｎ７，Ｎ７に下面が重合されて固着可能にかつ分解可能に組付けられる縁部Ｎ１，Ｎ１；Ｎ２，Ｎ２が前後方向Ｘおよび左右方向Ｙに形成され、左右の斜辺には隣接するフード構成部材３Ａ，３Ｂ；３Ｃ，３Ｄ相互の斜辺部同士が重合され、固着可能にかつ分解可能に取付けられる側縁部Ｎ３，Ｎ３が形成されている。
【００２３】
また、前記内装部材５は、前後方向Ｘに対向して配置される長寸の２個の第１の内装構成部材５Ａ，５Ｂと、第１の該内装構成部材５Ａ，５Ｂに交叉して左右方向に配置される２個の短寸の第２の内装構成部材５Ｃ，５Ｄとの２種、合計４個の内装構成部材５Ａ，５Ｂ；５Ｃ，５Ｄにより形成される。そして、第１，第２の該内装構成部材５Ａ，５Ｂ；５Ｃ，５Ｄは、上面に対応する前記フード構成部材３Ａ，３Ｂ；３Ｃ，３Ｄの上辺に設けた縁部Ｎ１，Ｎ１；  Ｎ２，Ｎ２に固着可能にかつ分解可能に取付けられる縁部Ｎ６，Ｎ６；Ｎ７，Ｎ７が前後方向Ｘおよび左右方向Ｙの上面に形成される。また、短寸の第２の前記内装構成部材５Ｃ，５Ｄの左右の側面には隣接する長寸の第１の前記内装構成部材５Ａ，５Ｂの内側、左右端に固着可能にかつ分解可能に取付けられる側縁部Ｎ８，Ｎ８が形成されている。
【００２４】
また、前記ファンボックス６は、上面に配置されるボックス天面構成部材６Ａと、左右の側面に対向して配置される左右のボックス側面構成部材６Ｂ，６Ｃと、該ボックス側面構成部材６Ｂ，６Ｃ間の略中間部に配置されるボックス構成仕切部材６Ｄと、該ボックス側面構成部材６Ｂ，６Ｃ間の下方部間に配置され、ファン２を備え付けるボックス底面構成部材６Ｅとにより形成される。そして、該ボックス天面構成部材６Ａとボックス底面構成部材６Ｅとは左右の前記ボックス側面構成部材６Ｂ，６Ｃに固着可能かつ分解可能に取付けられる側縁部Ｎ９，Ｎ９；Ｎ１０，Ｎ１０が形成され、前記ボックス構成仕切部材６Ｄには前記ボックス側面構成部材６Ｂ，６Ｃに固着可能かつ分解に取付けられる側縁部Ｎ１１，Ｎ１１が形成されている。
【００２５】
７はフード３の側面に装着されるコントロールスイッチであり、このコントロールスイッチ７は前記ファン２のモータのオンオフ、排気量に伴うモータの回転数などを制御したり、タイマーによる設定時間の設定、照明の点灯等を行うためのものである。また、８はフード３の下面にローレットビス９を用いて着脱自在に取付けられるグリスフィルタであり、１０は照明カバー、１１は前記ファンボックス６の前面にローレットビス９を用いて着脱自在に取付けられる前面板である。
【００２６】
本発明の一実施形態は以上の構成からなり、鋼板またはステンレス鋼板により形成されるレンジフードファンのケーシング１は、それぞれ前後方向Ｘ、左右方向Ｙ、および高さ方向Ｚの各面Ｓｘｙ，Ｓｙｚ，Ｓｘｚを考慮して分割されたケーシング１を構成するフード３、該フード３の内部下面に取付けられる内装部材５、フード３の上部に取付られるファンボックス６の複数個の各部材、すなわち複数の構成部材Ｋ１，Ｋ２，Ｋ３，Ｋ４；Ｋ′１，Ｋ′２，Ｋ′３，Ｋ′４；Ｋ″１，Ｋ″２，Ｋ″３，Ｋ″４，Ｋ″５により形成される。
【００２７】
また、これらの構成部材Ｋ１，Ｋ２，Ｋ３，Ｋ４；Ｋ′１，Ｋ′２，Ｋ′３，Ｋ′４；Ｋ″１，Ｋ″２，Ｋ″３，Ｋ″４，Ｋ″５の端面には各部材相互に重合される縁部Ｎ１，Ｎ１；Ｎ２，Ｎ２；Ｎ４，Ｎ４；Ｎ５，Ｎ５；Ｎ６，Ｎ６；Ｎ７，Ｎ７ないしは側縁部Ｎ３，Ｎ３；Ｎ８，Ｎ８；Ｎ９，Ｎ９；Ｎ１０，Ｎ１０；Ｎ１１，Ｎ１１が重合可能に折曲して形成されたことにより、これらの縁部Ｎ１，Ｎ１；Ｎ２，Ｎ２；Ｎ４，Ｎ４；Ｎ５，Ｎ５；Ｎ６，Ｎ６；Ｎ７，Ｎ７ないしは側縁部Ｎ３，Ｎ３；Ｎ８，Ｎ８；Ｎ９，Ｎ９；Ｎ１０，Ｎ１０；Ｎ１１，Ｎ１１は、ビスＢまたはリベットＢ′等の固定部品を用いて着脱自在にかつ分解可能に取付けられるようになっている。
【００２８】
すなわち、レンジフードファンのケーシング１を構成するフード３は、前後方向Ｘ、左右方向Ｙ、および高さ方向Ｚの各面Ｓｘｙ，Ｓｙｚ，Ｓｘｚを考慮して分割された複数のフード構成部材３Ａ，３Ｂ；３Ｃ，３Ｄよりなり、これらのフード構成部材３Ａ，３Ｂ；３Ｃ，３Ｄ相互はビスＢまたはリベットＢ′等の固定部品を用いて着脱自在にかつ分解可能に取付けられる。
【００２９】
また、内装部材５は、前後方向Ｘに対向して配置される長寸の２個の第１の内装構成部材５Ａ，５Ｂと、第１の該内装構成部材５Ａ，５Ｂに交叉して左右方向に配置される２個の短寸の第２の内装構成部材５Ｃ，５Ｄとの２種、合計４個の内装構成部材５Ａ，５Ｂ；５Ｃ，５Ｄよりなり、これらの内装構成部材５Ａ，５Ｂ；５Ｃ，５Ｄ相互は、ビスＢまたはリベットＢ′等の固定部品を用いて着脱自在にかつ分解可能に取付けられる。
【００３０】
また、ファンボックス６は、ボックス天面構成部材６Ａと、左右のボックス側面構成部材６Ｂ，６Ｃと、ボックス構成仕切部材６Ｄと、ボックス底面構成部材６Ｅとよりなり、これらのボックス天面構成部材６Ａと、左右のボックス側面構成部材６Ｂ，６Ｃと、ボックス構成仕切部材６Ｄと、ボックス底面構成部材６Ｅとは、ビスＢまたはリベットＢ′等の固定部品を用いて着脱自在にかつ分解可能に取付けられる。
【００３１】
これらのフード３、内装部材５、ボックス６の各構成部材相互と、フード３と、内装部材５と、ファンボックス６との各部材相互の組付例の詳細を以下具体的に述べる。
先ず、フード３の略平面台形をなす４個のフード構成部材３Ａ，３Ｂ；３Ｃ，３Ｄ相互を組付けるのには、フード構成部材３Ａ，３Ｂ；３Ｃ，３Ｄのそれぞれの左右の斜辺に折曲されている隣接する側縁部Ｎ３，Ｎ３相互を重合し、その後この側縁部Ｎ３，Ｎ３を図示のように固定部品としての数個のリベットＢ′を用いて固定することにより図に示すように周囲から中央部Ｏに集束されるような斜面部４を有するフード３を従来のように鋼板よりなる構成部材相互をスポット溶接したり、またはステンレス鋼板よりなる構成部材相互をガス溶接して接合てから溶接個所をサンダー仕上げを行う等の多くの手間や多くの時間を費やすことなく未熟練者であっても簡単な取り扱い操作により迅速かつ確実に組付けることができる。
【００３２】
この場合、４個のフード構成部材３Ａ，３Ｂ；３Ｃ，３Ｄ相互は、固定部品としての数個のリベットＢ′を用いて固定されるので、フード３は引張力や圧縮力に対して構造堅牢に形成される。
【００３３】
また、内装部材５を組付けるには、前後方向Ｘに対向して配置される長寸の２個の第１の内装構成部材５Ａ，５Ｂを前後方向Ｘに対向して配置するとともに第１の該内装構成部材５Ａ，５Ｂに交叉して左右方向に２個の短寸の第２の内装構成部材５Ｃ，５Ｄを配置することにより、第１の内装構成部材５Ａ，５Ｂの左右の側端と、内装構成部材５Ｃ，５Ｄの左右の側端とに折曲された側縁部Ｎ８，Ｎ８；Ｎ８，Ｎ８を重合し、固定部品としてのビスＢを用いてビス止めすることにより内装部材５を組付けることができる。
【００３４】
さらに、フアンボックス６を組付けるのには、ボックス天面構成部材６Ａと、ボックス底面構成部材６Ｅとは、左右のボックス側面構成部材６Ｂ，６Ｃ間の上下の内側面に側縁部Ｎ９，Ｎ９；Ｎ１０，Ｎ１０を重合してビスＢを用いてビス止めすることにより固着し、かつボックス側面構成部材６Ｂ，６Ｃ間の中間にはビスＢを用いてボックス構成仕切部材６Ｄの側縁部Ｎ１１，Ｎ１１を取り付ける。
【００３５】
その後、上述のようにして組付けられたフード３の内部下面に内装部材５を組付けるのには、内装部材５の第２の内装構成部材５Ｃ，５Ｄの上辺に設けた縁部Ｎ７，Ｎ７をフード３の略平面台形をなす２個のフード構成部材３Ｃ，３Ｄの上辺に設けた縁部Ｎ２，Ｎ２の下面に重合して複数個のビスＢを用いてビス止めすることにより固着可能にかつ分解可能に組付ける。
【００３６】
そして、上述のようにして組上げたファンボックス６をフード３の上面に組上げるのには、フード３の２枚のフード構成部材３Ａ，３Ｂの上辺に設けた縁部Ｎ１，Ｎ１をファンボックス６の下面に設けた縁部Ｎ５，Ｎ５に重合し、複数個のビスＢを用いてビス止めすることによりファンボックス６をフード３の上面に固着可能にかつ分解可能に組付ける。
【００３７】
それから、フード３の側面にコントロールスイッチ７を装着したり、フード３の下面に複数個のローレットビス９を用いてグリスフィルタ８を着脱自在に取付ける。そして、ファンボックス６の左右のボックス側面構成部材６Ｂ，６Ｃ間に組付けたボックス底面構成仕切部材６Ｅ上にファン２をボルトナット等を用いて備え付け、ファンボックス６のボックス側面構成部材６Ｂ，６Ｃの前面に複数個のローレットビス９を用いて前面板１１を着脱自在に取付けることによりレンジフードファンのケーシング１の組み付けを完了する。
【００３８】
レンジフードファンのケーシング１が寿命が尽きて分解を行うのには、それぞれ前後方向Ｘ、左右方向Ｙ、および高さ方向Ｚの各面Ｓｘｙ，Ｓｙｚ，Ｓｘｚを考慮して分割され、組み付けられているケーシング１を構成するフード３、該フード３の内部下面に取付けられた内装部材５、フード３の上部に取付られるファンボックス６の複数個の各部材、すなわち複数の構成部材Ｋ１，Ｋ２，Ｋ３，Ｋ４；Ｋ′１，Ｋ′２，Ｋ′３，Ｋ′４；Ｋ″１，Ｋ″２，Ｋ″３，Ｋ″４，Ｋ″５を、組付け時とは逆の取扱いにより固定部品としてのビスＢまたはリベットＢ′を取り除くことにより結合を解けば、構成部材Ｋ１，Ｋ２，Ｋ３，Ｋ４；Ｋ′１，Ｋ′２，Ｋ′３，Ｋ′４；Ｋ″１，Ｋ″２，Ｋ″３，Ｋ″４，Ｋ″５相互を容易に分解することができる。
【００３９】
すなわち、フード３に対して下面に取付けられている内装部材５を、またフード３に対して上面に組付けられているボックス６を分解することができる。また、フード３は、複数のフード構成部材３Ａ，３Ｂ；３Ｃ，３Ｄに分解することができる。
また、内装部材５は、２個の第１の内装構成部材５Ａ，５Ｂと、２個の短寸の第２の内装構成部材５Ｃ，５Ｄとに分解することができる。
また、ファンボックス６は、ボックス天面構成部材６Ａと、左右のボックス側面構成部材６Ｂ，６Ｃと、ボックス構成仕切部材６Ｄと、ボックス底面構成部材６Ｅと、前面板１１とに分解することができる。
【００４０】
このようにして、レンジフードファンのケーシング１を分解することができる。
そして、略箱形をなすファンボックス６の内部にボックス構成仕切部材６Ｄは、組付けが残されることなく、完全に分解することができるため、特にファンボックス６を鋼板で形成している場合はもとより、例えば板厚が厚いステンレス鋼板を用いて構成部材を形成している場合にも、従来のケーシングのように製作、組付け時にはステンレス鋼板よりなる構成部材相互の接合面をガス溶接し、その後、溶接部をサンダー等で平に研磨してから手作業により磨き上げたり、溶接個所をブラシュ仕上げを行うことなく、しかも分解時にも多くの手間と時間を要していたのと、また分解時にも多くの手間と時間を要するのとは異なり人力により容易にかつ多くの時間と手間がかからず、組付と分解が行え、容易に押し潰して減容化することができる。
【００４１】
しかも、本実施形態のレンジフードファンのケーシング１は、ケーシング１からモータ、ファンロータ、グリスフィルタ８、コントロールスイッチ７、配線コード等の素材が異なる必要部品を取り外すという取り外し作業を完全に行うことができる。また、ケーシングの押し潰し作業、分解作業等を上述のように完全に行うことができるので、従来のレンジフードファンのケーシングのようにそのままの状態で中間処理業者等の廃棄物処理業者に引き渡されたり、或いはリサイクルが困難な他の不燃であったり、可燃である等の混合ごみと一緒に、混合廃棄物として、埋立て処分を行う最終処分業者に引き渡されて埋め立て処分がなされることがなくなり、リサイクルが可能になり、資源の有効活用がはかれる。
【００４２】
なお、図示する実施形態では、フード３のフード構成部材３Ａ，３Ｂ，３Ｃ，３ＤをリベットＢ′により固定し、かつ内装部材５の第１の内装構成部材５Ａ，５Ｂと    第２の内装構成部材５Ｃ，５Ｄ、およびファンボックス６のボックス天面構成部材６Ａ、ボックス側面構成部材６Ｂ，６Ｃ、ボックス構成仕切部材６Ｄ、ボックス底面構成部材６Ｅやフード３と内装部材５、さらにはフード３とファンボックス６相互をビスＢにより固定しているが、図示する実施形態に限ることなくフード３のフード構成部材３Ａ，３Ｂ，３Ｃ，３ＤをビスＢにより固定し、かつ内装部材５の第１の内装構成部材５Ａ，５Ｂと第２の内装構成部材５Ｃ，５Ｄ、およびファンボックス６のボックス天面構成部材６Ａ、ボックス側面構成部材６Ｂ，６Ｃ、ボックス構成仕切部材６Ｄ、ボックス底面構成部材６ＥをリベットＢ′により固定する場合も本発明の適用範囲である。
【００４３】
【発明の効果】
本発明は上記従来の欠点を解決し、請求項１に記載の発明は、鋼板またはステンレス鋼板により形成され、ファンを内蔵したレンジフードファンのケーシング構造において、該レンジフードファンのケーシングを構成する各部材を、前後方向、左右方向、および高さ方向の各面を考慮して複数の構成部材に分割し、該構成部材の端面には相互に重合される縁部ないしは側縁部を折曲して形成し、該縁部ないしは側縁部相互はビスまたはリベット等の固定部品を用いて固着可能にかつ分解可能に組付けられることを特徴とし、また、本発明の請求項２に記載の発明は、請求項１において、前記レンジフードファンのケーシングは、周囲から中央部に集束するような斜面部を有するフードと、該フードの内部に取付けられる内装部材と、前記フードの上部に固着され、ファンを内蔵する略箱形のファンボックスとより成り、前記フード自体を形成する複数の構成部材相互、また前記内装部材自体を形成する複数の構成部材相互、前記ファンボックスを形成する構成部材相互、さらには前記フードの前記構成部材に対する内装部材の構成部材を、およびフードの前記構成部材に対するファンボックスの構成部材をビスまたはリベット等の固定部品を用いて固着可能にかつ分解可能に組付けることを特徴とするので、製作および組立が容易で組立精度が高くなり、また製品の寿命が尽きた廃棄時には容易に分離し、分解が行えるため、リサイクル性が優れ、製作コストが安価になる。
【００４４】
また、本発明の請求項３に記載の発明は、請求項１，２において、前記フードは、周囲から中央部に集束するように前後方向、左右方向、および高さ方向の３方向に組付けられる各面毎に分割された略平面台形をなす４個のフード構成部材により形成され、該各フード構成部材は、上辺にファンボックスの下面に対応して設けた縁部に上面が重合されて固着可能にかつ分解可能に組付けられるとともに内装部材の上面に対応して設けた縁部に下面が重合されて固着可能にかつ分解可能に組付けられる縁部が前後方向および高さ方向に形成され、左右の斜辺には隣接するフード構成部材相互の斜辺部同士が重合され、固着可能にかつ分解可能に取付けられる側縁部が形成されたことを特徴とするので、製作および組立が容易で組立精度が高くなり、また製品の寿命が尽きた廃棄時には容易に分離し、分解が行えるため、リサイクル性が優れる。
【００４５】
また、本発明の請求項４に記載の発明は、請求項１，２，３において、前記内装部材は、前後方向に対向して配置される長寸の２個の第１の内装構成部材と、第１の該内装構成部材に交叉して左右方向に配置される２個の短寸の第２の内装構成部材との２種、合計４個の内装構成部材により形成され、第１，第２の該内装構成部材は、上面に対応する前記フード構成部材の上辺に設けた縁部に固着可能にかつ分解可能に取付けられる縁部が前後方向および左右方向に形成され、短寸の第２の前記内装構成部材の左右の側面には隣接する長寸の第１の前記内装構成部材の内側、左右端に固着可能にかつ分解可能に取付けられる側縁部が形成されたことを特徴とするので、製作および組立が容易で組立精度が高くなり、また製品の寿命が尽きた廃棄時には容易に分離し、分解が行えるため、リサイクル性が優れる。
【００４６】
また、本発明の請求項５に記載の発明は、請求項１，２，３，４において、前記ファンボックスは、上面に配置されるボックス天面構成部材と、左右の側面に対向して配置される左右のボックス側面構成部材と、該ボックス側面構成部材間の略中間部に配置されるボックス構成仕切部材と、該ボックス側面構成部材間の下方部間に配置され、ファンを備付けるボックス底面構成部材とにより形成され、該ボックス天面構成部材とボックス底面構成部材とは左右の前記ボックス側面構成部材に固着可能かつ分解可能に取付けられる側縁部が形成され、前記ボックス構成仕切部材には前記ボックス側面構成部材に固着可能かつ分解に取付けられる側縁部が形成されたことを特徴とするので、製作および組立が容易で組立精度が高くなり、また製品の寿命が尽きた廃棄時には容易に分離し、分解が行えるため、リサイクル性が優れる。
【図面の簡単な説明】
【図１】図１は本発明のレンジフードファンのケーシング構造の一実施形態を示す分解斜視図である。
【図２】図２は同じくグリスフィルタと前面板とを取り外した状態の斜視図である。
【図３】図３は同じくグリスフィルタを取り外した状態の斜視図である。
【図４】図４は同じく組上げ状態の斜視図である。
【図５】図５は同じく本実施形態を構成するフードの分解斜視図である。
【図６】図６は同じく本実施形態を構成する内装部材を示す分解斜視図である。
【図７】図７は同じく本実施形態を構成するファンボックスを示す分解斜視図である。
【符号の説明】
１      ファンボックス
２      ファン
３      フード
３Ａ    フード構成部材
３Ｂ    フード構成部材
３Ｃ    フード構成部材
３Ｄ    フード構成部材
４      斜面部
５      内装部材
５Ａ    第１の内装構成部材
５Ｂ    第１の内装構成部材
５Ｃ    第２の内装構成部材
５Ｄ    第２の内装構成部材
６      ファンボックス
６Ａ    ボックス天面構成部材
６Ｂ    ボックス側面構成部材
６Ｃ    ボックス側面構成部材
６Ｄ    ボックス構成仕切部材
６Ｅ    ボックス底面構成部材
１０    照明カバー
１１    前面板
Ｂ      ビス
Ｂ′    リベット
Ｋ１    構成部材
Ｋ２    構成部材
Ｋ３    構成部材
Ｋ４    構成部材
Ｋ′１  構成部材
Ｋ′２  構成部材
Ｋ′３  構成部材
Ｋ′４  構成部材
Ｋ″１  構成部材
Ｋ″２  構成部材
Ｋ″３  構成部材
Ｋ″４  構成部材
Ｋ″５  構成部材
Ｎ１    縁部
Ｎ２    縁部
Ｎ４    縁部
Ｎ５    縁部
Ｎ６    縁部
Ｎ７    縁部
Ｎ３    側縁部
Ｎ８    側縁部
Ｎ９    側縁部
Ｎ１０  側縁部
Ｎ１１  側縁部
Ｓｘｙ  面
Ｓｙｚ  面
Ｓｘｚ  面
Ｘ      前後方向
Ｙ      左右方向
Ｚ      高さ方向
【図１】
2004232982.tif 000003
【図２】
2004232982.tif 000004
【図３】
2004232982.tif 000005
【図４】
2004232982.tif 000006
【図５】
2004232982.tif 000007
【図６】
2004232982.tif 000008
【図７】
2004232982.tif 000009